(57)【要約】【課題】厚みが小さく非常にボタンが止めやすいアパレル製品を提供する。【解決手段】重ねることのできる第１接合部および第２接合部を有し、第１接合部の端部および第２接合部の端部のそれぞれにボタン穴を有する基材と、第１、第２接合部に対応する大きさの生地に対し、ボタンが取り付けられた副基材と、を備えたアパレル製品であって、第１接合部に設けられたボタン穴に副基材のボタンを通した状態で、さらに、ボタンを第２接合部に設けられたボタン穴に通すことにより、第１接合部と第２接合部とを接合するアパレル製品。【選択図】  図１Ａ
2020131001.tif 000002
【特許請求の範囲】
【請求項１】
重ねることのできる第１接合部および第２接合部を有し、前記第１接合部の端部および前記第２接合部の端部のそれぞれにボタン穴を有する基材と、
前記第１、第２接合部に対応する大きさの生地に対し、ボタンが取り付けられた副基材と、
を備えたアパレル製品であって、
前記第１接合部に設けられた前記ボタン穴に前記副基材の前記ボタンを通した状態で、さらに、前記ボタンを前記第２接合部に設けられた前記ボタン穴に通すことにより、前記第１接合部と前記第２接合部とを接合するアパレル製品。
【請求項２】
前記副基材は、内部に芯材を含む請求項１に記載のアパレル製品。
【請求項３】
前記副基材は、前記ボタンよりも広い幅を有するシートである請求項１または２に記載のアパレル製品。
【発明の詳細な説明】
【技術分野】
【０００１】
本発明は、アパレル製品に関する。
【背景技術】
【０００２】
上記技術分野において、特許文献１の段落００４０には、リバーシブル布製品の接合方法に関する技術が開示されている。
【先行技術文献】
【特許文献】
【０００３】
【特許文献１】特開２０１７−０２９６５２号公報
【発明の概要】
【発明が解決しようとする課題】
【０００４】
しかしながら、上記文献に記載の技術では、ボタン穴を通して外側にボタンを見せる使い方をするためには、被服の両方の面のそれぞれにボタンを取り付ける必要があり、被服全体として厚みが生じてしまい、ボタンが止めにくいという課題が生じていた。
【０００５】
本発明の目的は、上述の課題を解決する技術を提供することにある。
【課題を解決するための手段】
【０００６】
上記目的を達成するため、本発明に係るアパレル製品は、
重ねることのできる第１接合部および第２接合部を有し、前記第１接合部の端部および前記第２接合部の端部のそれぞれにボタン穴を有する基材と、
前記第１、第２接合部に対応する大きさの生地に対し、ボタンが取り付けられた副基材と、
を備えたアパレル製品であって、
前記第１接合部に設けられた前記ボタン穴に前記副基材の前記ボタンを通した状態で、さらに、前記ボタンを前記第２接合部に設けられた前記ボタン穴に通すことにより、前記第１接合部と前記第２接合部とを接合するアパレル製品。
【発明の効果】
【０００７】
本発明によれば、厚みが小さく非常にボタンが止めやすいアパレル製品を提供できる。
【図面の簡単な説明】
【０００８】
【図１Ａ】本発明の第１実施形態に係るリバーシブルアパレル製品の構成を示す図である。
【図１Ｂ】本発明の第１実施形態に係るリバーシブルアパレル製品の構成を示す図である。
【図２】本発明の第２実施形態に係るリバーシブルベストの構成を示す図である。
【図３】本発明の第２実施形態に係るリバーシブルベストの構成を示す図である。
【図４】本発明の第２実施形態に係るボタンベルトの構成を示す図である。
【図５】本発明の第３実施形態に係る襟付きリバーシブルジャケットの構成を示す図である。
【図６】本発明の第４実施形態に係る襟なしリバーシブルジャケットの構成を示す図である。
【図７】本発明の第５実施形態に係るリバーシブルコートの構成を示す図である。
【図８】本発明の第６実施形態に係るリバーシブル袋物の構成を示す図である。
【発明を実施するための形態】
【０００９】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１０】
［第１実施形態］
本発明の第１実施形態としてのリバーシブルアパレル製品１００について、図１を用いて説明する。図１Ａに示すように、リバーシブルアパレル製品１００は、基材１０１とボタンベルト１０２とを含む。
【００１１】
基材１０１は、皮革製または布製のリバーシブル構造で生成されており、重ねることのできる接合部１１１および接合部１１２を有する。接合部１１１の端部および接合部１１２の端部のそれぞれの、重なりあう位置には、ボタン穴群１１３とボタン穴群１１４とを有する。
【００１２】
ボタンベルト１０２は、接合部１１１、１１２に対応する長さを有する長尺の帯状生地１２１と、帯状生地１２１の、ボタン穴群１１３、１１４に対応する位置に取り付けられた複数のボタン１２２とを含む。
【００１３】
図１Ｂに示すように接合部１１１の端部に設けられた複数のボタン穴１１３にボタンベルト１０２の複数のボタン１２２を通す。そして、複数のボタン穴１１３に通された複数のボタン１２２を、さらに、接合部１１２の端部に設けられた複数のボタン穴１１４に通すことにより、接合部１１１、１１２の接合が完了する。
【００１４】
一方、基材１０１を裏返した場合には、先に、接合部１１２の端部に設けられた複数のボタン穴１１４にボタンベルト１０２の複数のボタン１２２を通す。そして、複数のボタン１２２を、さらに、接合部１１１の端部に設けられた複数のボタン穴１１３に通すことにより、接合部１１１、１１２の接合が完了する。
【００１５】
以上の構成により、厚みが小さく非常にボタンが止めやすいリバーシブルアパレル製品を提供できる。
【００１６】
［第２実施形態］
次に本発明の第２実施形態に係るリバーシブル被服について、図２を用いて説明する。図２は、本実施形態に係るリバーシブル被服の一例としてのベスト２００の構成を説明するための図である。
【００１７】
図２に示すように、ベスト２００は、基材２０１とボタンベルト２０２とを含む。ベスト２００の基材２０１は、皮革製または布製のリバーシブル構造を備えており、後ろ身頃２１０、右前身頃２１１、および左前身頃２１２から構成されている。リバーシブル構造とは、１枚の布の両面を用いるリバーシブル生地の場合以外にも、２枚の布を縫合した場合や、２枚の布の中にわたやダウンを挟んだ場合などが含まれる。右前身頃２１１と左前身頃２１２とは、互いに重ねることのできる接合部２３１および接合部２３２を有する。
【００１８】
接合部２３１の端部および接合部２３２の端部のそれぞれの、重なりあう位置には、ボタン穴群２１３とボタン穴群２１４とを有する。
【００１９】
一方、ボタンベルト２０２は、接合部２３１、２３２に対応する長さを有する長尺の帯状生地２２１と、帯状生地２２１の、ボタン穴群２１３、２１４に対応する位置に取り付けられた複数のボタン２２２とを含む。
【００２０】
図２の状態２４０、２５０は、接合部２３１の端部に設けられた複数のボタン穴２１３にボタンベルト２０２の複数のボタン２２２を通した状態を示している。この状態２５０において、接合部２３１と接合部２３２との間に身体を通し、左右の腕を左右のアームホールに通すことにより、ユーザ２６０はベスト２００を身に纏うことができる。
【００２１】
そして、複数のボタン穴２１３に通された複数のボタン２２２を、さらに、接合部２３２の端部に設けられた複数のボタン穴２１４に通すことにより、ユーザ２６０は、ベスト２００を身体に装着できる。
【００２２】
一方、図３は、図２で示した基材２０１を裏返して着用する場合の図である。図２の状態２５０の基材２０１から、再度ボタンベルト２０２を取り外し、図３の基材２０１のみを裏返して状態３１０とする。さらに、接合部２３２の端部に設けられた複数のボタン穴２１４にボタンベルト２０２の複数のボタン２２２を通した状態３４０、３５０とする。この状態３５０において、接合部２３１と接合部２３２との間に身体を通し、左右の腕を左右のアームホールに通すことにより、ユーザ２６０は、ベスト２００を羽織ることができる。
【００２３】
そして、複数のボタン穴２１４に通された複数のボタン２２２を、さらに、接合部２３１の端部に設けられた複数のボタン穴２１３に通すことにより、ユーザ２６０は、図２とは異なる柄でベスト２００を着用することができる。
【００２４】
図４は、ボタンベルト２０２の構成を示す６面図である。４０１は正面図、４０２は背面図、４０３は左側面図、４０４は右側面図、４０５は平面図、４０６は底面図である。ここでは、長尺の帯状生地２２１と、帯状生地２２１に取り付けられた４つのボタン２２２と、を含む構成として説明しているが、本発明に係るボタンベルト２０２は、これに限定されるものではなく、例えば、ボタンは２つでも３つでも５つ以上でもよい。また、図では４つ穴ボタンを描いているが、布や皮革に固定してボタンホールを通してとめるタイプのボタンであれば、２つ穴ボタン、３つ穴ボタン、シャンク付きボタン、タックボタン、リベットボタン、トグルボタンなど種類を問わず、本発明に適用可能である。さらにボタンのサイズも、図に表われているものに限定されず、いかなるサイズのボタンも適用可能である。また、ボタンベルトは、内部に芯材を含んでもよい。
【００２５】
本実施形態の構成により、厚みが小さく非常にボタンが止めやすいリバーシブルベストを提供できる。特に、従来技術と比べ、着用時の体に対するゴロつきや裏側の釦が下に着ている被服に引っかかるという問題を解消できた。また、洗濯時にボタンベルトを取り外せるため、洗濯によるボタンの破損を防止することができる。さらに、ボタンベルトを取り外してアイロンをかけることにより、非常にアイロン掛けが容易かつ綺麗に仕上がる。
【００２６】
なお、上記実施形態では、男性向けに、右前に着用する場合について説明したが、本実施形態によれば、左身頃にボタンベルトを取り付けて、左前にして女性向けの仕様に変えることも非常に容易である。基材とボタンベルトを別のラインで生産することができ、さらに、ボタンベルトにボタンを取り付ける際には、ボタンつけ用の機械を利用することもできるため、非常に生産性の高いリバーシブルアパレル製品を提供することが可能となる。本発明に係るリバーシブルアパレル製品は、上記のベストに限定されるものではなく、ジャケット、コート、シャツ、スカートまたはパンツであってもよい。
【００２７】
［第３実施形態］
次に本発明の第３実施形態に係る襟付きリバーシブルジャケットについて、図５を用いて説明する。図５は、本実施形態に係るリバーシブルジャケットの構成を説明するための図である。本実施形態に係るリバーシブルジャケットは、上記第２実施形態のベストと比べると、基材５０１が襟と袖を有する点で異なる。その他の構成および動作は、第２実施形態と同様であるため、同じ構成および動作については同じ符号を付してその詳しい説明を省略する。
【００２８】
［第４実施形態］
次に本発明の第４実施形態に係る襟なしリバーシブルジャケットについて、図６を用いて説明する。図６は、本実施形態に係るリバーシブルジャケットの構成を説明するための図である。本実施形態に係るリバーシブルジャケットは、上記第２実施形態のベストと比べると、基材６０１が袖を有する点で異なる。その他の構成および動作は、第２実施形態と同様であるため、同じ構成および動作については同じ符号を付してその詳しい説明を省略する。
【００２９】
［第５実施形態］
次に本発明の第５実施形態に係る女性向けリバーシブルコートについて、図７を用いて説明する。図７は、本実施形態に係るリバーシブルコートの構成を説明するための図である。本実施形態に係るリバーシブルコートは、上記第２実施形態のベストと比べると、基材７０１が長い丈を有する点で異なる。その他の構成および動作は、第２実施形態と同様であるため、同じ構成および動作については同じ符号を付してその詳しい説明を省略する。
【００３０】
［第６実施形態］
次に本発明の第６実施形態に係るリバーシブルクッションカバーについて、図８を用いて説明する。図８は、本実施形態に係るリバーシブルクッションカバーの構成を説明するための図である。本実施形態に係るリバーシブルクッションカバーは、上記第２実施形態のベストと比べると、基材８０１が袋状に構成されている点で異なる。その他の構成および動作は、第２実施形態と同様であるため、同じ構成および動作については同じ符号を付してその詳しい説明を省略する。
【００３１】
接合部８１１の端部に設けられた複数のボタン穴２１３にボタンベルト２０２の複数のボタンを通した状態で、例えば綿などの内容物８０２を挿入する。そして、複数のボタン２２２を、さらに、接合部８１２の端部に設けられた複数のボタン穴２１４に通すことにより、綿などの内容物が外に出ないように収容する。
【００３２】
基材を裏返した場合には、右側の図のように、接合部８１２の端部に設けられた複数のボタン穴２１４にボタンベルト２０２の複数のボタンを通した状態で、内容物８０２を挿入する。そして、複数のボタンを、さらに、接合部８１１の端部に設けられた複数のボタン穴２１３に通すことにより、綿などの内容物が外に出ないように収容する。
【００３３】
なお、ここでは、クッションカバーを例にして説明したが、バッグ、椅子のカバー、枕カバー、布団カバー、または座布団カバーなどの他の袋物にも本発明は同様に適用できる。
【００３４】
［他の実施形態］
以上、実施形態を参照して本願発明を説明したが、本願発明は上記実施形態に限定されるものではない。本願発明の構成や詳細には、本願発明の技術範囲内で当業者が理解し得る様々な変更をすることができる。また、それぞれの実施形態に含まれる別々の特徴を如何様に組み合わせたものも、本発明の範疇に含まれる。
【図１Ａ】
2020131001.tif 000003
【図１Ｂ】
2020131001.tif 000004
【図２】
2020131001.tif 000005
【図３】
2020131001.tif 000006
【図４】
2020131001.tif 000007
【図５】
2020131001.tif 000008
【図６】
2020131001.tif 000009
【図７】
2020131001.tif 000010
【図８】
2020131001.tif 000011